(57)【要約】【課題】ディフューザを取り替えることなく、簡単な操作で音の放射状態を変えることができるスピーカシステムを提供する。【解決手段】スピーカ１の前面にディフューザ５を配置したスピーカシステムにおいて、前記ディフューザ５の一方の面は略全面が凸面に形成されており、前記一方の面に対して裏面に当たる他方の面には中心部から周辺部に向けて延びる凹み５ｂが形成されており、前記ディフューザ５は前記一方の面と他方の面を区分する境界を２等分する軸線（４ａ−４ａ）の回りに回動可能に支持されている。【選択図】        図１
2004350017.tif 000002
【特許請求の範囲】
【請求項１】
スピーカの前面にディフューザを配置したスピーカシステムにおいて、前記ディフューザの一方の面は略全面が凸面に形成されており、前記一方の面に対して裏面に当たる他方の面には中心部から周辺部に向けて延びる凹みが形成されており、前記ディフューザは前記一方の面と他方の面を区分する境界を２等分する軸線の回りに回動可能に支持されていることを特徴とするスピーカシステム。
【請求項２】
前記凹みは中心部から１８０°の角度を成して周辺部に向けて延びる２本の凹みにより形成されている請求項１のピーカシステム。
【請求項３】
前記凹みは中心部から１２０°の角度を成して周辺部に向けて延びる３本の凹みにより形成されている請求項１のピーカシステム。
【請求項４】
前記ディフューザを回動可能に支持する軸または軸受けがスピーカ前面にスピーカ軸心回りに回動可能に支持されたリングに形成されている請求項１から３のいずれかに記載したスピーカシステム。
【発明の詳細な説明】
【０００１】
【発明の属する技術分野】
この発明はスピーカシステムに係わり、特に、スピーカの前面にディフューザを配置したスピーカシステムに関する。
【０００２】
【従来の技術】
特開平１１−２２０７９０号公報に提案されたスピーカシステムの例を図５に示す。図に示す中低音用スピーカ１１の前面側に高音域用スピーカ１２が同軸に配置されており、これらのスピーカの前面側に保持枠１３を介してグリル１４が配置されている。
【０００３】
グリル１４には高音域用スピーカ１２の前面に位置するように軸心回りに回転可能な可変操作部１５が嵌着されている。可変操作部１５は多数の傾斜した桟１５ａ、１５…を備えており、桟１５ａ、１５…により音が矢印で示す方向に反射されて放射される。
【０００４】
実開平５−７００９４号公報に提案されたスピーカシステムを図６に示す。図に示すスピーカ１はバッフル２０に取り付けられる。バッフル２０には２本の支柱２１、２１が立設されている。この支柱２１、２１はディフューザ２２（リフレクタ）をスピーカ１の前面に支持する。すなわち、支柱２１、２１をディフューザ２２の嵌合孔２２ａ、２２ａに嵌合させてディフューザ２２を固定する。ディフューザ２２は球形に形成されており、スピーカ１から放射された音は矢印で示す方向に反射されて放射される。ディフューザ２２が球形の場合放射される音は無指向性となる。
【０００５】
【特許文献１】
特開平１１−２２０７９０公報（第２−３頁、図１）
【０００６】
【特許文献２】
実開平５−７００９４号公報（第６−７頁、図１）
【０００７】
【発明が解決しようとする課題】
上記した図５に示す従来のスピーカシステムでは可変操作部１５を回転させれば、音の放射方向は変えられるが、スピーカ軸心方向に対する音の放射角度は一定となる。放射角度を変えようとする場合は形状の異なる可変操作部を多数備えなければならない。この場合付属品の数が多くなると共に音の放射状態を変える作業が面倒となるという問題があった。
【０００８】
図６に示す従来のスピーカシステムでは音の放射状態を変えようとする場合はやはり形状の異なるディフユーザを多数備えなければならない。この場合も付属品の数が多くなると共に音の放射状態を変える作業が面倒となるという問題があった。
【０００９】
この発明は上記した点に鑑みてなされたものであって、その目的とするところは、ディフューザを取り替えることなく、簡単な操作で音の放射状態を変えることができるスピーカシステムを提供することにある。
【００１０】
【課題を解決するための手段】
この発明のスピーカシステムは、スピーカの前面にディフューザを配置したスピーカシステムにおいて、前記ディフューザの一方の面は略全面が凸面に形成されており、前記一方の面に対して裏面に当たる他方の面には中心部から周辺部に向けて延びる凹みが形成されており、前記ディフューザは前記一方の面と他方の面を区分する境界を２等分する軸線の回りに回動可能に支持されているものである。
【００１１】
また、前記スピーカシステムにおいて、前記凹みが中心部から１８０°の角度を成して周辺部に向けて延びる２本の凹みにより形成されているものである。
【００１２】
また、同スピーカシステムにおいて、前記凹みが中心部から１２０°の角度を成して周辺部に向けて延びる３本の凹みにより形成されているものである。
【００１３】
また、前記各スピーカシステムにおいて、前記ディフューザを回動可能に支持する軸または軸受けがスピーカ前面にスピーカ軸心回りに回動可能に支持されたリングに形成されているものである。
【００１４】
【発明の実施の形態】
この発明の実施例であるスピーカシステムを図面に基づいて説明する。図１はこの発明の第１の実施例であるスピーカシステムを示す斜視図、図２は同スピーカシステムのディフューザ５を示す斜視図である。図１に示すスピーカ１のスピーカフレーム２には脚３、３を介して保持リング４が一体に形成されている。
【００１５】
ディフューザ５は略球形であり、その中心を通る軸心上に軸受け５ａ、５ａが凹面として形成されている。図２において、軸受け５ａ、５ａより下の表面は略全面に亘り球面となっている。軸受け５ａ、５ａより上の表面には凹み５ｂが形成されている。凹み５ｂは軸受け５ａ、５ａに対して中央に相当する位置から軸受け５ａ、５ａ間の軸心に対して直交する面内に瓢箪形に延びるように形成されている。すなわち、ディフューザ５は木魚または鈴の形状となっている。
【００１６】
このディフューザ５の軸受け５ａ、５ａに保持リング４に形成された軸４ａ、４ａが弾力的に係合することによりディフューザ５は回動可能となっている。保持リング４に設けられた突起４ｂはディフューザ５の凹み５ｂに突出しており、ディフューザ５の回動角度を略１８０°に制限する。
【００１７】
図３（ａ）にディフューザ５の下面（図２に示す下の面）がスピーカ１と対向する状態を示す。このときスピーカ１から放射される音はディフューザ５の球面部分で反射され矢印で示すように周囲に放射される。この場合スピーカシステムは無指向性となる。
【００１８】
図３（ｂ）にディフューザ５の上面（図２に示す上の面）がスピーカ１と対向する状態を示す。このときスピーカ１から放射される音の一部はディフューザ５の球面部分で反射され、また、凹み５ｂに入る音は矢印で示すように凹み５ｂが延びる方向が中心となるように放射される。この場合スピーカシステムは２方向に強い指向性を有する。
【００１９】
ディフューザ５を回転させることにより図３（ａ）に示す状態から図３（ｂ）に示す状態の間で無段階に音の放射状態を変化させることができる。音の放射状態を変化させるためには単にディフューザ５を回動させるだけでよく、操作が簡単である。また、音の放射状態を変化させるために複数のディフューザを備える必要もない。
【００２０】
図４（ａ）はこの発明の第２の実施例であるスピーカシステムのディフューザを示す平面図である。この例ではディフューザ６は略球面に形成されており、その上面に溝６ｂが１２０°の角度をなして３方向に延びている。
【００２１】
ディフューザ６の軸受け６ａ、６ａに第１の実施例の軸４ａ、４ａが嵌合されてディフューザ６がスピーカの前面に回動自在に支持される。他の構成は第１の実施例と同様である。この例ではスピーカシステムに３方向に強い指向性を持たせることができる。
【００２２】
図４（ｂ）はこの発明の第３の実施例であるスピーカシステムの一部断面を示す側面図である。この例ではスピーカ１のスピーカフレーム２に立設された脚７、７に円弧状に延びる保持リング受部７ａ、７ａが形成されており、保持リング８は保持リング受部７ａ、７ａにより回動自在に支持されている。
【００２３】
保持リング８に設けられた軸８ａ、８ａは第１の実施例に用いられたディフューザ５の軸受け５ａ、５ａと嵌合してディフューザ５を回動自在に支持する。この例では第１の実施例と同様にディフューザ５を軸８ａ、８ａ回りに回動させることができ、さらに、軸８ａ、８ａの方向をスピーカ軸心回りに回動させることができる。すなわち、スピーカシステムに指向性を持たせた場合に指向性の向きを変えることができる。
【００２４】
実施例は以上のように構成されているが、発明はこれに限られず、例えば、ディフューザに軸を設け、保持リングに軸受けを設けてもよい。
【００２５】
【発明の効果】
この発明のスピーカシステムによれば、スピーカの前面に配置されたディフューザを回動させることにより、音の放射範囲、放射方向および部分的な音圧特性の制御を行うことができる。
【図面の簡単な説明】
【図１】この発明の第１の実施例であるスピーカシステムを示す斜視図である。
【図２】同スピーカシステムの部材を示す斜視図である。
【図３】図３（ａ）は同スピーカシステムの一部断面を示す側面図、図３（ｂ）は同スピーカシステムの他の状態における一部断面を示す側面図である。
【図４】図４（ａ）はこの発明の第２の実施例である同スピーカシステムの部材を示す平面図、図４（ｂ）はこの発明の第３の実施例であるスピーカシステムの一部断面を示す側面図である。
【図５】従来のスピーカシステムの例の一部断面を示す側面図である。
【図６】従来のスピーカシステムの他の例を示す分解斜視図である。
【符号の説明】
１  スピーカ
２  スピーカフレーム
３  脚
４  保持リング、４ａ  軸、４ｂ  突起
５  ディフューザ、５ａ  軸受け、５ｂ  凹み
６  ディフューザ、６ａ  軸受け、６ｂ  凹み
７  脚、７ａ  保持リング受部
８  保持リング、８ａ  軸
１１  中低音域用スピーカ
１２  高音域用スピーカ
１３  保持枠
１４  グリル
１５  可変操作部、１５ａ  桟
２０  バッフル
２１  支柱
２２  ディフューザ、２２ａ  嵌合孔
【図１】
2004350017.tif 000003
【図２】
2004350017.tif 000004
【図３】
2004350017.tif 000005
【図４】
2004350017.tif 000006
【図５】
2004350017.tif 000007
【図６】
2004350017.tif 000008